(57)【要約】【課題】吸湿材を用い、除湿経路と再生経路を有する除湿装置において、除湿性能の低下の原因となる、除湿ロータに付着した有機成分を効率的に除去することすることすることができ、また除湿ロータに付着する有機成分を少なくすることを目的とする。【解決手段】除湿ファン５により室内空気を吸入し、回転式の除湿ロータ３の吸湿領域３ａを通過させて除湿された空気を室内に排出する除湿経路６および、再生ファン８により再生ヒータ９で加熱された空気を前記除湿ロータ３の吸湿領域３ａとは分離された再生領域３ｂに吹き付けで水分を蒸発させ、熱交換器１０で凝縮して水滴化する再生経路１１を備えた除湿装置において、再生経路１１の前記除湿ロータ３から出た直後の空気温度が低い状態が継続されると前記除湿ロータ３をクリーニングすることにより、除湿性能の低下を防ぐ。【選択図】図１
2009165956.tif 000002
【特許請求の範囲】
【請求項１】
除湿ファンにより室内空気を吸入し、回転式の吸湿体の吸湿領域を通過させて除湿された空気を室内に排出する除湿経路および、再生ファンにより再生ヒータで加熱された空気を前記吸湿体の吸湿領域とは分離された再生領域に吹き付けで水分を蒸発させ、熱交換器で凝縮して水滴化する再生経路と、前記再生経路中の吸湿体の下流側に温度を検出する再生温度検出手段を備え、前記再生経路の前記吸湿体から出た直後の空気温度が低い状態が継続されると前記吸湿体をクリーニングすることを特徴とする除湿装置。
【請求項２】
吸湿体と熱交換器との間の再生経路と除湿経路の一部とを接続するためのダンパを備え、クリーニング中は前記ダンパを開放することにより前記再生経路と前記除湿経路の一部との一部とを接続することを特徴とする請求項１記載の除湿装置。
【請求項３】
吸湿体から出た直後の空気温度が低い運転時間を累積する不揮発性メモリを備え、累積時間が所定時間以上になったときに吸湿体をクリーニングすることを特徴とする請求項１記載の除湿装置。
【請求項４】
吸湿体から出た直後の空気温度が低い運転時間を累積する不揮発性メモリと、クリーニングの必要性を報知する表示手段と運転モード選択手段としてクリーニングモードを備え、累積時間が所定時間以上になったときに前記表示手段により使用者にクリーニングを促すことを特徴とする請求項１記載の除湿装置。
【請求項５】
クリーニング中は再生ヒータの発熱量を最大にすることを特徴とする請求項１記載の除湿装置。
【請求項６】
クリーニング中は再生ファンの送風量を最小にすることを特徴とする請求項１記載の除湿装置。
【請求項７】
クリーニング中は除湿ファンの送風量を最小にすることを特徴とする請求項１記載の除湿装置。
【請求項８】
クリーニング中は吸湿体を所定時期に所定角度ずつ回転送りするように構成されていることを特徴とする請求項１記載の除湿装置。
【請求項９】
クリーニング中であることを報知する表示手段を備えたことを特徴とする請求項１記載の除湿装置。
【請求項１０】
クリーニング中であることを報知する表示手段を備え、クリーニングは除湿運転を開始と同時に実施されることを特徴とする請求項１記載の除湿装置。
【請求項１１】
除湿中、再生経路の前記吸湿体から出た直後の空気温度が低い時には吸湿体の回転速度を低下させる制御手段を備えたことを特徴とする請求項１記載の除湿装置。
【請求項１２】
湿度検知手段と、除湿運転中に所定湿度より室内空気湿度が低い時には除湿ファン、再生ファン、再生ヒータを停止させる制御手段を備えたことを特徴とする請求項１記載の除湿装置。
【発明の詳細な説明】
【技術分野】
【０００１】
本発明は、除湿ファンにより室内空気を吸入し、回転式の吸湿体の吸湿領域を通過させて除湿された空気を室内に排出する除湿経路および、再生ファンにより再生ヒータで加熱された空気を前記吸湿体の吸湿領域とは分離された再生領域に吹き付けで水分を蒸発させ、熱交換器で凝縮して水滴化する再生経路を備えた除湿装置に関わり、吸収体に蓄積された有機物を除去する技術に関するものである。
【背景技術】
【０００２】
従来、この種の除湿装置は、冷凍サイクルを用いないため運転騒音も少なく、軽量でコンパクトに構成できることから、家庭用の除湿装置として普及している。
【０００３】
この装置は、除湿材を備えた除湿ロータと呼ぶ回転する吸湿体の一方で室内の空気から吸湿し、吸湿体の他方において、吸湿した水分をヒータで加熱された高温の空気により蒸発させ、吸湿体、すなわち除湿材を再生し、この高温多湿の空気を熱交換器で凝縮して水とする方式である（例えば特許文献１参照）。
【０００４】
以下、その除湿装置について図８を参照しながら説明する。
【０００５】
図に示すように、除湿ロータ用モータ１０２で回転駆動される、シリカゲルやゼオライトまたは高分子吸着剤等の除湿材で構成した除湿ロータ１０３と、除湿ファン用モータ１０４で駆動される除湿ファン１０５、除湿ファン１０５が駆動したとき形成される除湿経路１０６，再生ファン用モータ１０７で駆動される再生ファン１０８、再生ヒータ１０９、熱交換器１１０、再生ファン１０８が駆動したとき形成される再生経路１１１、熱交換機器１１０の下部に設けた水タンク１１２と、前記除湿ロータ用モータ１０２、除湿ファン用モータ１０４、再生ファン用モータ１０７、再生ヒータ１０９を制御する制御回路で構成される。
【０００６】
除湿ロータ１０３は、除湿ロータを構成する除湿材により室内空気から水分を吸湿し、室内空気を除湿する除湿領域１０３ａと、室内空気から水分を吸湿した除湿材から吸湿した水分を飛ばし除湿材を再生する再生領域１０３ｂに区分され、除湿ロー１０３は、除湿ロータ用モータ１０２で回転駆動され、除湿領域１０３ａ、次に再生領域１０３ｂ、次に元に返って、除湿領域１０３ａと順に回転移動し、室内空気の除湿材による除湿と、除湿材の再生を繰り返し、室内空気を除湿する。
【０００７】
ここで、除湿経路１０６は、矢示のように、室内から吸い込んだ空気を、熱交換器１１０を経由し、除湿ロータ１０３の除湿領域１０３ａを経て屋外に排出するように構成されている。
【０００８】
また、再生経路１１１は、矢示のように、再生ヒータ１０９から除湿ロータ１０３の再生領域１０３ｂを経て、熱交換器１１０からふたたび再生ヒータ１０９に至る循環経路である。
【０００９】
前記制御回路１１３には、マイクロコンピュータ１１４と、除湿運転モードを選択するスイッチ１１５と、除湿運転モードを表示する表示素子１１６と、前記除湿ロータ用モータ１０２を駆動する除湿ロータ用モータ駆動素子１１７と、前記除湿ファン用モータ１０４を駆動する除湿ファン用モータ駆動素子１１８と、前記再生ファン用モータ１０７を駆動する再生ファン用モータ駆動素子１１９と、前記再生ヒータ１０９を駆動する再生ヒータ駆動素子１２０とで構成される。
【００１０】
使用者がスイッチ１１５により除湿運転を開始すると、除湿ファン用モータ１０４、除湿ロータ用モータ１０２と再生ファン用モータ１０７および再生ヒータ１０９を駆動して除湿動作が行われるが、このとき、除湿ファン用モータ１０４の回転数および再生ヒータ１０９の発熱量を、マイクロコンピュータ１１４が選択された除湿運転モードに従い決定する。たとえば弱運転では除湿ファン用モータ１０４の回転数と再生ヒータ１０９の発熱量が最小となるように制御する。
【特許文献１】特開２００３−２３６３３０号公報
【発明の開示】
【発明が解決しようとする課題】
【００１１】
このような従来の除湿装置では、使用状態によっては水分だけでなく、空気中の油煙や芳香剤や防虫剤が気化したガス等の有機成分が除湿ロータの小さな通路に付着し除湿性能が低下するという課題があり、付着した有機成分を効率的に除去することが要求されている。
【００１２】
本発明は、このような従来の課題を解決するものであり、除湿ロータに付着した有機成分を効率的に除去することすることすることができ、また除湿ロータに付着する有機成分を少なくすることのできる除湿装置を提供することを目的としている。
【課題を解決するための手段】
【００１３】
本発明の除湿装置は上記目的を達成するために、除湿ファンにより室内空気を吸入し、回転式の吸湿体の吸湿領域を通過させて除湿された空気を室内に排出する除湿経路および、再生ファンにより再生ヒータで加熱された空気を前記吸湿体の吸湿領域とは分離された再生領域に吹き付けで水分を蒸発させ、熱交換器で凝縮して水滴化する再生経路と、前記再生経路中の吸湿体の下流側に温度を検出する再生温度検出手段を備え、前記再生経路の前記吸湿体から出た直後の空気温度が低い状態が継続されると前記吸湿体をクリーニングするようにしたものである。
【００１４】
この手段により除湿ロータに有機成分が蓄積されたときのみ除去することすることすることができる除湿装置が得られる。
【００１５】
また他の手段は、吸湿体と熱交換器との間の再生経路と除湿経路の一部とを接続するためのダンパを備え、クリーニング中は前記ダンパを開放することにより前記再生経路と前記除湿経路の一部との一部とを接続するようにしたものである。
【００１６】
この手段により熱交換器にダメージを与えることなく吸収体をより高温にすることができより短時間で有機成分を除去することすることすることができる除湿装置が得られる。
【００１７】
また他の手段は、吸湿体から出た直後の空気温度が低い運転時間を累積する不揮発性メモリを備え、累積時間が所定時間以上になったときに吸湿体をクリーニングするようにしたものである。
【００１８】
この手段により移動等により電源が遮断されたときにも空気温度が低い運転時間を累積でき除湿ロータに蓄積された有機成分を確実に除去できる除湿装置が得られる。
【００１９】
また他の手段は、吸湿体から出た直後の空気温度が低い運転時間を累積する不揮発性メモリと、クリーニングの必要性を報知する表示手段と運転モード選択手段としてクリーニングモードを備え、累積時間が所定時間以上になったときに前記表示手段により使用者にクリーニングを促すようにしたものである。
【００２０】
この手段により除湿運転の途中でクリーニングによる風量や運転音が突然変化することによる不自然感を無くすことができる。
【００２１】
また他の手段は、クリーニング中は再生ヒータの発熱量を最大にするようにしたものである。
【００２２】
この手段により吸収体を高温で、より短時間で有機成分を除去することすることすることができる除湿装置が得られる。
【００２３】
また他の手段は、クリーニング中は再生ファンの送風量を最小にするようにしたものである。
【００２４】
この手段により吸収体を高温で、より少ない消費電力で有機成分を除去することすることすることができる除湿装置が得られる。
【００２５】
また他の手段は、クリーニング中は除湿ファンの送風量を最小にするようにしたものである。
【００２６】
この手段により吸収体を高温で、静かに有機成分を除去することすることすることができる除湿装置が得られる。
【００２７】
また他の手段は、クリーニング中は吸湿体を所定時期に所定角度ずつ回転送りするようにしたものである。
【００２８】
この手段により吸収体を高温で、より短時間で有機成分を除去することすることすることができる除湿装置が得られる。
【００２９】
また他の手段は、クリーニング中であることを報知する表示手段を備え、クリーニング中は使用者にクリーニング中であることを報知するようにしたものである。
【００３０】
この手段により除湿運転の途中でクリーニングによる風量や運転音が突然変化することによる不安感を無くすことができる。
【００３１】
また他の手段は、クリーニング中であることを報知する表示手段を備え、クリーニングは除湿運転を開始と同時に実施され、クリーニング中は使用者にクリーニング中であることを報知するようにしたものである。
【００３２】
この手段により能力が低下した状態で除湿運転することがなく、除湿運転の途中でクリーニングによる風量や運転音が突然変化することによる不安感を無くすことができる。
【００３３】
また他の手段は、除湿中、再生経路の前記吸湿体から出た直後の空気温度が低い時には吸湿体の回転速度を低下するようにしたものである。
【００３４】
この手段により除湿ロータの温度を上昇させることで除湿ロータに有機成分が付着しにくくすることができる。
【００３５】
また他の手段は、湿度検知手段と、除湿運転中に設定湿度より室内空気湿度が低い時には除湿ファン、再生ファン、再生ヒータを停止するようにしたものである。
【００３６】
この手段により除湿ロータに有機成分が付着しにくくすることができる。
【発明の効果】
【００３７】
本発明によれば除湿ロータに付着した有機成分を効率的に除去することすることすることができ、また除湿ロータに付着する有機成分を少なくすることのできるという効果のある除湿装置を提供できる。
【発明を実施するための最良の形態】
【００３８】
本発明の請求項１記載の発明は、除湿ファンにより室内空気を吸入し、回転式の吸湿体の吸湿領域を通過させて除湿された空気を室内に排出する除湿経路および、再生ファンにより再生ヒータで加熱された空気を前記吸湿体の吸湿領域とは分離された再生領域に吹き付けで水分を蒸発させ、熱交換器で凝縮して水滴化する再生経路と、前記再生経路中の吸湿体の下流側に温度を検出する再生温度検出手段を備えたものであり、前記再生経路の前記吸湿体から出た直後の空気温度が低い状態が継続されると前記吸湿体をクリーニングするという作用を有する。
【００３９】
また、吸湿体と熱交換器との間の再生経路と除湿経路の一部とを接続するためのダンパを備えたものであり、クリーニング中は前記ダンパを開放し前記再生経路と前記除湿経路の一部との一部とを接続することにより、より高温吸湿体をクリーニングするという作用を有する。
【００４０】
また、吸湿体から出た直後の空気温度が低い運転時間を累積する不揮発性メモリを備えたものであり、累積時間が所定時間以上になったときに吸湿体をクリーニングするという作用を有する。
【００４１】
また、吸湿体から出た直後の空気温度が低い運転時間を累積する不揮発性メモリと、クリーニングの必要性を報知する表示手段と運転モード選択手段としてクリーニングモードを備えたものであり、累積時間が所定時間以上になったときに前記表示手段により使用者にクリーニングを促すという作用を有する。
【００４２】
また、除湿中、再生経路の吸湿体から出た直後の空気温度が低い時には吸湿体の回転速度を低下させる制御手段を備えたものであり、温度を上昇させるという作用を有する。
【００４３】
以下、本発明の実施の形態について図面を参照しながら説明する。
【００４４】
（実施の形態１）
図１は、本発明の実施の形態１の除湿装置１の構成を示した図である。
【００４５】
除湿ロータ用モータ２で回転駆動される、シリカゲルやゼオライトまたは高分子吸着剤等の除湿材で構成した除湿ロータ３と、除湿ファン用モータ４で駆動される除湿ファン５、除湿ファン５が駆動したとき形成される除湿経路６，再生ファン用モータ７で駆動される再生ファン８、再生ヒータ９、熱交換器１０、再生ファン８が駆動したとき形成される再生経路１１、熱交換機器１０の下部に設けた水タンク１２および前記再生経路中の除湿ロータ３の下流側に温度を検出する再生温度検出手段である温度センサ１３とで構成されている。
【００４６】
除湿ロータ３は、除湿ロータを構成する除湿材により室内空気から水分を吸湿し、室内空気を除湿する除湿領域３ａと、室内空気から水分を吸湿した除湿材から吸湿した水分を飛ばし除湿材を再生する再生領域３ｂに区分され、除湿ロータ３は、除湿ロータ用モータ２で回転駆動され、除湿領域３ａ、次に再生領域３ｂ、次に元に返って、除湿領域３ａと順に回転移動し、室内空気の除湿材による除湿と、除湿材の再生を繰り返し、室内空気を除湿する。
【００４７】
ここで、除湿経路６は、矢示のように、室内から吸い込んだ空気を、熱交換器１０を経由し、除湿ロータ３の除湿領域３ａを経て屋外に排出するように構成されている。
【００４８】
また、再生経路１１は、矢示のように、再生ヒータ９から除湿ロータ３の再生領域３ｂを経て、熱交換器１０からふたたび再生ヒータ９に至る循環経路である。
【００４９】
図２は、本発明の実施の形態１の回路図である。
【００５０】
制御部１４は前記除湿ファン用モータ４を通電制御する除湿ファン用モータ制御部１５と、前記再生ファン用モータ７を通電制御する再生ファン用モータ制御部１６と、前記除湿ロータ用モータ２を通電制御する除湿ロータ用モータ制御部１７と、前記再生ヒータを通電制御する再生ヒータ制御部１８と、複数のＬＥＤからなる表示部１９と、複数のスイッチからなる操作部２０と、マイクロコンピュータ２１とで構成されている。
【００５１】
上記構成において、通常の除湿動作は使用者が操作部２０を操作することにより、マイクロコンピュータ２１は、除湿ロータ用モータ２と再生ファン用モータ７を駆動し、除湿ファン用モータ４および再生ヒータ９は選択された除湿モードにより回転数と発熱量を選択駆動して行われる。
【００５２】
室内の空気は、除湿ロータ３の除湿領域３ａにおいて吸湿され、湿度を低下して再び室内に放出することにより除湿される。
【００５３】
一方、除湿領域３ａの位置で吸湿した除湿ロータ３は、回転して再生経路１１と係合する再生領域３ｂの位置において、再生ヒータ９で高温度に加熱された再生経路１１の循環空気により蒸発し、水分が飛ばされ、熱交換器１０により、前述の吸い込んだ室内空気により冷却されて凝縮し、水滴となる。この冷却された再生経路１１の循環空気は再び、再生ヒータ９で加熱され前記動作を繰り返す。なお、熱交換器１０内の水滴は、水タンク１２に回収される。
【００５４】
除湿運転中、除湿領域３ａの位置で空気中の油煙や芳香剤や防虫剤が気化したガス等の有機成分も水分と一緒に除湿ロータ３に吸着されるが、再生ヒータ９で加熱された循環空気が約３００℃以上の高温の時には有機成分は酸化されて水と二酸化炭素に分解し除湿ロータ３に残ることはない。一方、再生ヒータ９の発熱量が少ない除湿運転弱モードや他のモードでも室内温度が低い時は、再生経路１１の循環空気の温度が下がり、有機成分は分解されず除湿ロータ３に残ることになる。
【００５５】
マイクロコンピュータ２１は、再生経路１１中の温度センサ１３で検出した循環空気の温度が低い時間を積算し、この積算時間が所定の時間に達した時に再生経路１１の循環空気の温度が約３００℃以上になるよう一時的に再生ヒータ９の発熱量を増加させ、除湿ロータ３に残った有機成分を分解するクリーニングをすることになる。
【００５６】
（実施の形態２）
図３は、本発明の実施の形態２の除湿装置の構成を示す図である。本実施の形態２の除湿装置の構成は、基本的には図１の構成に新たにバイパス経路２２とダンパ２３、２４を設けた点が異なるもので、実施の形態１と同一部分は同一符号を附し、詳細な説明は省略する。
【００５７】
バイパス経路２２は、再生経路１１の除湿ロータ３の下流部と除湿経路６の除湿ロータ３の上流部とを連携する形で設けられ、このバイパス経路２２を断路もしくは経路するようダンパ２３を設置し、さらに、再生経路１１の熱交換器１０の下流側に、室内の空気を取り入れるためのダンパ２４を設けている。
【００５８】
通常の除湿運転中は、ダンパ２３は、バイパス経路２２を断路するよう、ダンパ２４は、閉状態であるが、図３は、クリーニング時の動作状態を示しダンパ２４は開状態にする。図４は、本発明の実施の形態２の回路図である。この図は、前述の図２に新たにダンパ駆動部２５を加えたもので、図２と同一の符号を付したものは、図２と同一のものなので説明を省略する。
【００５９】
図４において、ダンパ２３，２４は、ダンパ制御部２５を介してマイクロコンピュータ２１に接続される構成である。
【００６０】
上記構成において、マイクロコンピュータ２１は、再生経路１１中の温度センサ１３で検出した循環空気の温度が低い時間を積算し、この積算時間が所定の時間に達した時にダンパ制御部２５を介してダンパ２３，２４を通電し、図３に示す空気経路の状態にした後、再生経路１１の循環空気の温度が約３００℃以上になるよう一時的に再生ヒータ９の発熱量を増加させ、除湿ロータ３に残った有機成分を分解することになる。また、再生経路１１の除湿ロータ３を通過した加熱空気はバイパス通路２２から除湿経路６に入り、除湿ロータ３を余熱することになる。
【００６１】
これにより、再生経路１１の下流側の熱交換器１０等に熱によるダメージを与えることなく、より高温で除湿ロータ３に付着した有機成分を分解することになる。
【００６２】
（実施の形態３）
図５は、本発明の実施の形態３の回路図である。
【００６３】
不揮発性メモリ２６はマイクロコンピュータ２１に接続されている。
【００６４】
上記構成において、マイクロコンピュータ２１は、再生経路１１中の温度センサ１３で検出した循環空気の温度が低い時間を積算し、随時、不揮発性メモリ２６に積算時間を書き込むことにより、使用場所の移動等のため電源が遮断されても積算時間は消えることなく再度電源が投入され使用された場合には積算を継続することができ、過剰に有機成分が除湿ロータ３に蓄積するのを防ぐことができることとなる。
【００６５】
（実施の形態４）
図６は、本発明の実施の形態４の回路図である。
【００６６】
クリーニングの必要性を報知する表示手段としてのＬＥＤで構成された要クリーニング表示部２７、運転モード選択手段としてのクリーニングモード選択手段２８および、クリーニングモード設定表示部２９はマイクロコンピュータ２１に接続されている。
【００６７】
上記構成において、マイクロコンピュータ２１は、再生経路１１中の温度センサ１３で検出した循環空気の温度が低い時間を積算し、随時、不揮発性メモリ２６に累積時間を書き込み、累積時間が所定の時間以上になったときには要クリーニング表示部２７を点灯し使用者にクリーニングを促す。使用者は前記要クリーニング表示部２７が点灯したときには、クリーニングモード選択手段２８によりクリーニングモードを選択し除湿ロータ３のクリーニングを行うこととなる。クリーニングモードが選択されるとマイクロコンピュータ２１は要クリーニング表示部２７を消灯し、リーニングモード設定表示部２９を点灯することとなる。
【００６８】
（実施の形態５）
図２の回路図において、再生ヒータ９は発熱量の少ない再生ヒータ９ａと発熱量の多い再生ヒータ９ｂに分かれており、それぞれ再生ヒータ制御部１８ａ、１８ｂに接続されている。
【００６９】
上記構成において、除湿強モードが選択されたときには再生ヒータ９ａと再生ヒータ９ｂに通電され、このときは除湿ロータ３を通過する再生経路１１の循環空気は約３００℃以上の高温となり、有機成分は除湿ロータ３には蓄積されずクリーニングは不要である。除湿中モードが選択されたときには発熱量の多い再生ヒータ９ｂにのみ通電され、このとき除湿ロータ３を通過する再生経路１１の循環空気は室内空気温度によっては約３００℃以下となり、有機成分は除湿ロータ３には蓄積される可能性がある。さらに除湿弱モードでは発熱量の少ない再生ヒータ９ａにのみ通電されるので、除湿ロータ３を通過する再生経路１１の循環空気は約３００℃以下となり、有機成分は除湿ロータ３には蓄積される。
【００７０】
クリーニング時には再生ヒータ９ａと再生ヒータ９ｂに通電し発熱量を最大にすることにより、除湿ロータ３を通過する再生経路１１の循環空気を確実に約３００℃以上の高温にする。
【００７１】
（実施の形態６）
図２の回路図において、再生ファン用モータ７は回転数が高くなる巻き線と低くなる巻き線を有し、それぞれ再生ファン用モータ制御部１６ａ、１６ｂに接続されている。
【００７２】
上記構成において、通常の除湿運転時は再生ファン用モータ制御部１６ａのみに通電されている。クリーニング時には再生ファン用モータ制御部１６ｂのみに通電を切換え再生ファン８の送風量を最小にすることにより、再生ヒータ９の発熱量に関係なく除湿ロータ３を通過する再生経路１１の循環空気を確実に約３００℃以上の高温にする。
【００７３】
（実施の形態７）
図２の回路図において、除湿ファン用モータ４は回転数が異なる巻き線を有し、回転数の高い巻き線からそれぞれ除湿ファン用モータ制御部１５ａ、１５ｂ、１５ｃに接続されている。
【００７４】
上記構成において、通常の除湿運転時は選択された運転モード強、中、弱に応じて除湿ファン用モータ制御部１５ａ、１５ｂ、１５ｃそれぞれを選択して通電し、送風量を変えている。クリーニング時には選択された運転モードに関わらず除湿ファン用モータ制御部１５ｃのみに通電することによって、除湿経路６の風量を最小にし、室内空気により除湿ロータ３の冷却を少なくし、かつ熱交換器１０での熱交換量を少なくすることにより再生経路１１の再生空気の温度を高くすることとなる。
【００７５】
（実施の形態８）
図１のおいて、除湿ロータ３の再生領域３ｂを扇型とした構成としている。
【００７６】
上記構成において、クリーニング開始時にはロータ用モータ２を一旦停止し、所定の時間再生領域３ｂのみをクリーニングする。その後、再生領域３ｂの扇型形状の角度分除湿ロータ３が回転するようにロータ用モータ２を通電し再度停止させ、先ほどとは別の除湿ロータ３の領域をクリーニングする。以下同様に除湿ロータ３が１回転するまで上記動作を繰り返すこととなる。
【００７７】
（実施の形態９）
図７は、本発明の実施の形態９の回路図である。
【００７８】
クリーニング中であることを報知する表示手段としてのＬＥＤで構成されたクリーニング中表示部３０はマイクロコンピュータ２１に接続されている。
【００７９】
上記構成において、クリーニング中にはマイクロコンピュータ２１はクリーニング中表示部３０を点灯させ、クリーニング中であることを使用者に報知する。
【００８０】
（実施の形態１０）
図７において、マイクロコンピュータ２１は再生経路１１中の温度センサ１３で検出した循環空気の温度が低い時間を積算し、この積算時間が所定の時間に達した時でもクリーニング動作を開始せず、一度使用者により除湿運転が停止され、再度除湿運転が開始された時にクリーニング中表示部３０を点灯させ、クリーニングを開始する。
【００８１】
（実施の形態１１）
図２の回路図において、除湿ロータ用モータ２は回転数が異なる巻き線を有し、回転数の高い巻き線は除湿ロータ用モータ制御部１７ａ、回転数の低い巻き線は除湿ロータ用モータ制御部１７ｂに接続されている。
【００８２】
上記構成において、通常の除湿運転時、マイクロコンピュータ２１は選択された運転モード強、中、弱に応じて除湿ファン用モータ制御部１５ａ、１５ｂ、１５ｃを選択して通電し、送風量を変えている。また、マイクロコンピュータ２１は運転モード強、中、弱に応じて再生ヒータ制御部１８ａ、１８ｂを介して再生ヒータ９の発熱量を変えている。
【００８３】
再生ヒータ９の発熱量が少ない除湿運転弱モードや他のモードでも室内温度が低い時は、再生経路１１の循環空気の温度が下がるため、除湿ロータ３に有機成分が蓄積しやすくなる。この時、マイクロコンピュータ２１は除湿ロータ用モータ制御部１７ａから除湿ロータ用モータ制御部１７ｂに通電を切換えて除湿ロータ３の回転速度を低下させて除湿ファン５による風量や再生ヒータ９による発熱量を変えずに除湿ロータ３の温度を上げることとなる。
【００８４】
（実施の形態１２）
図２の回路図において、室内空気の湿度を検出する湿度センサ３１はマイクロコンピュータ２１に接続されている。
【００８５】
上記構成において、除湿運転中は室内空気の湿度を湿度センサ３１にて検出し、検出結果をマイクロコンピュータ２１に入力している。マイクロコンピュータ２１は通常除湿運転が不要となる湿度である４０％以下に室内空気の湿度が達すると、除湿ファン５、再生ファン８、再生ヒータ９を停止させることにより、室内空気が除湿ロータ３を通過することをなくし、空気中の有機成分が除湿ロータ３に付着するのを防止することとなる。
【００８６】
本発明の除湿装置は、吸湿体に付着した有機成分を除去することにより除湿量の低下を防止する効果があり、家庭用はもとより業務用の除湿装置としても利用できる。
【図面の簡単な説明】
【００８７】
【図１】本発明の実施の形態１および８の除湿装置の構成を示す図
【図２】同、実施の形態１，５，６，７，１１および１２の電気回路図
【図３】本発明の実施の形態２の除湿装置の構成を示す図
【図４】同、電気回路図
【図５】本発明の実施の形態３の電気回路図
【図６】本発明の実施の形態４の電気回路図
【図７】本発明の実施の形態９および１０の電気回路図
【図８】従来の除湿装置の構成を示す図
【図９】同、電気回路図
【符号の説明】
【００８８】
２    除湿ロータ用モータ
３    除湿ロータ
４    除湿ファン用モータ
５    除湿ファン
６    除湿経路
７    再生ファン用モータ
８    再生ファン
９    再生ヒータ
１０  熱交換器
１１  再生経路
１２  水タンク
１３  温度センサ
２２  バイパス経路
２３、２４  ダンパ
２６  不揮発性メモリ
２７  要クリーニング表示部
２８  クリーニングモード選択手段
２９  クリーニングモード設定表示部
３０  クリーニング中表示部
３１  湿度センサ
【図１】
2009165956.tif 000003
【図２】
2009165956.tif 000004
【図３】
2009165956.tif 000005
【図４】
2009165956.tif 000006
【図５】
2009165956.tif 000007
【図６】
2009165956.tif 000008
【図７】
2009165956.tif 000009
【図８】
2009165956.tif 000010
【図９】
2009165956.tif 000011